(57)【要約】【課題】トルマリンやゲルマニウムを粉末状態で用いることにより、これらの材質の持つ作用を、装着の違和感なしに有効に発揮させ得るようにした健康パッドを実現する。【解決手段】人体に直接もしくは衣服を介して当接させるパッドであって、当接に適した寸法および形状を有し、全体として人体にフィットする柔軟性があり、人体の側は無孔性の内側シート１０、反対側は外側シート１８とし、外側シート１８に接して、アルミニウム薄層をコーティングした無孔性シート１６を設け、内側シート１０と無孔性シート１６との間に、細かい繊維を層状に構成した繊維質層１４を１層以上介在させ、無孔性シート１６よりも内側シート１０側に、２５００メッシュのトルマリン微粒子の粉末：１５％と、３７００メッシュのゲルマニウム微粒子の粉末：８５％を均一に混合分散させた混合粉状物１２を層状に保持させ、内側シート１０と外側シート１８の周縁部を閉じることにより内部を閉ざした健康パッド。【選択図】    図２
2005160780.tif 000002
【特許請求の範囲】
【請求項１】
人体に直接もしくは衣服を介して当接させるパッドであって、
当接に適した寸法および形状を有し、全体として人体にフィットする柔軟性があり、
人体の側は無孔性の内側シート、反対側は外側シートとし、
上記外側シートに接して、アルミニウム薄層をコーティングした無孔性シートを設け、
上記内側シートと上記無孔性シートとの間に、細かい繊維を層状に構成した繊維質層を１層以上介在させ、
上記無孔性シートよりも内側シートの側に、２５００メッシュのトルマリン微粒子の粉末：１５％と、３７００メッシュのゲルマニウム微粒子の粉末：８５％を均一に混合分散させた混合粉状物を層状に保持させ、
上記内側シートと外側シートの周縁部を閉じることにより内部を閉ざしたことを特徴とする健康パッド。
【請求項２】
請求項１記載の健康パッドにおいて、
内側シートが、内側面にホットメルトを塗布した不織布をベースシートの内側に一体化させてなり、
繊維質層が１層であり、
混合粉状物が、上記内側シートと繊維質層との間に層状に保持されることを特徴とする健康パッド。
【請求項３】
請求項１記載の健康パッドにおいて、
内側シートが、内側面にホットメルトを塗布した不織布をベースシートの内側に一体化させてなり、
繊維質層が２層であって、これら２層の繊維質層は径：０.３μｍの極細紙繊維を密に用いた紙シートであり、
粉状混合物が、上記２層の紙シートの間に層状に保持されることを特徴とする健康パッド。
【請求項４】
請求項１〜３の任意の１に記載の健康パッドにおいて、
内側シートの最も外側の部分がウレタンフォームの層の外側にタオル地を重ねて一体化したものであることを特徴とする健康パッド。
【発明の詳細な説明】
【技術分野】
【０００１】
この発明は、人体に直接もしくは衣服を介して当接させる健康パッドに関する。
【背景技術】
【０００２】
従来から、トルマリンやゲルマニウム等の物質が、生体の機能を高めあるいは改善する作用を持つとされ、かかる作用に着目して、トルマリンやゲルマニウムを含有させた張付体を人体に当接させるようにしたものが知られている（特許文献１、２）。
【０００３】
これら特許文献１、２に記載されている張付体においては、粉末のトルマリンあるいは粉末のトルマリンやゲルマニウムを有しているが、これらの粉末は熱可塑性ゴムや樹脂中に均一に分散混合されている。このため、含有されたトルマリンやゲルマニウムは、その一部が空気に触れるに過ぎない。
【０００４】
例えば、トルマリンのもつ健康増進上の効果の１つとして、その電気作用により正負のイオンを発生させることが挙げられるが、上記の如く熱可塑性ゴムや樹脂中に混合分散されてしまうと、上記のイオン発生効果を十分に発揮させることが難しいと考えられる。
【０００５】
また、トルマリンやゲルマニウムを樹脂中に分散させた場合、樹脂が硬質のものであると、装着に違和感を生じ易い。
【０００６】
【特許文献１】特開平１０−１７９７６４号公報
【特許文献２】特開２００３−２３５９９３
【発明の開示】
【発明が解決しようとする課題】
【０００７】
この発明は、トルマリンやゲルマニウムを粉末状態で用いることにより、これらの材質の持つ作用を、装着の違和感なしに有効に発揮させ得るようにした健康パッドの実現を課題とする。
【課題を解決するための手段】
【０００８】
この発明の健康パッドは「人体に直接もしくは衣服を介して当接させるパッド」であって、その外形は「当接に適した寸法および形状」を有し、全体として人体にフィットする柔軟性がある。
【０００９】
そして、構造的には以下のごとき特徴を有する（請求項１）。  
即ち、人体に当接する側は無孔性の内側シート、反対側は外側シートとされ、外側シートに接して「アルミニウム薄層をコーティングした無孔性シート」を設ける。
【００１０】
内側シートと無孔性シートとの間には「細かい繊維を層状に構成した繊維質層」を１層以上介在させ、無孔性シートよりも内側シートの側に、２５００メッシュ（平均粒径：１／２５００ｍｍ≒０.４μｍ）のトルマリン微粒子の粉末：１５％と、３７００メッシュ（平均粒径：１／３７００ｍｍ≒０.２７μｍ）のゲルマニウム微粒子の粉末：８５％を均一に混合分散させた混合粉状物を層状に保持させる。
【００１１】
内側シートと外側シートの周縁部を閉じることにより内部を閉ざし、内部に層状に保持された粉状混合物が外部に洩れないようにする。
【００１２】
請求項１記載の健康パッドは、内側シートを「内側面にホットメルトを塗布した不織布をベースシートの内側に一体化させた構造」とするとともに、繊維質層を１層として、混合粉状物が「内側シートと繊維質層との間に層状に保持される」ように構成できる（請求項２）。なお、「ホットメルト」は、ポリエステル、ポリアミド等の樹脂であり、これを熱溶融して薄い不織布に塗布する。塗布されたホットメルトは温度の低下と共に固相化するが、不織布や塗布厚が薄いので内側シートの柔軟性を損わない。
【００１３】
請求項１記載の健康パッドはまた、内側シートを「内側面にホットメルトを塗布した不織布をベースシートの内側に一体化させた構造」とするとともに、繊維質層を２層とし、これら２層の繊維質層を「径：０.３μｍの極細紙繊維を密に用いた紙シート」とし、粉状混合物が「これら２層の紙シートの間に層状に保持される構成」とすることができる（請求項３）。この場合、ホットメルトの層を接着剤として一方の繊維質層をベースシートに接着一体化できる。
【００１４】
請求項１記載の健康パッドにおいて、内側シートや無孔性シートが「無孔性」であるとは、パッド内に保持される粉状混合物をパッド外へ漏出させないことを意味する。請求項２や請求項３における内側シートの場合、ベースシートの内側に一体化される不織布に塗布されたホットメルトがこの「無孔性」を有効に保証する。また、無孔性シートにおいてはコーティングされたアルミニウム薄層が「無孔性」を保証する。
【００１５】
上記請求項１〜３の任意の１に記載の健康パッドにおいて、内側シートの最も外側の部分を「ウレタンフォームの層の外側にタオル地を重ねて一体化したもの」とすることができる（請求項４）。
【００１６】
このように、この発明の健康パッドでは、パッドの内部にトルマリン、ゲルマニウム共に粉末状態で保持されている。  
この健康パッドを身体に当接させると、身体から伝わる熱によりパッドの温度が上昇し、この熱をエネルギとして吸収したトルマリン粉末の各微粒子が吸収したエネルギを「遠赤外線」として放射する。また、「身体から熱輻射として放射される遠赤外線」や、「トルマリン微粒子から放射される遠赤外線」は、外側シートの内側に設けられた無孔性シートのアルミニウム薄層により反射され、内側シートを介して身体に作用する。
【００１７】
上記遠赤外線はゲルマニウム微粒子により均一に分散されるので、遠赤外線の身体への作用が均一化される。トルマリン微粒子は粉末状で保持されているため、正負のイオンを効率よく発生させる。
【００１８】
なお、ゲルマニウムを３７００メッシュまで微粒化することは従来困難とされてきたが、発明者らは、ゲルマニウム材料を空気流で十数時間攪拌し、気流中においてゲルマニウム粒子同士を衝突させる粉砕法により３７００メッシュの微粒子径を実現した。
【発明の効果】
【００１９】
上述の如く、この発明の健康パッドは、人体に直接もしくは衣服を介して当接する部分が「無孔性の内側シート」であるので、例えばこの部分をゴアテックスやタオル地のような材質とすることにより、内側シートが直接皮膚に接触しても接触部に「かぶれ」等を生じることがない。
【００２０】
また、全体として人体にフィットする柔軟性があるため、装着に違和感がない。  
ゲルマニウム、トルマリンとも粉末状態でパッド内に保持され、これらの微粒子は直接空気に接触しているため、トルマリンによる正・負のイオン発生効果が十分に発揮され、トルマリンによる健康増進上の効果がより有効に得られると期待される。
【００２１】
さらに、身体から放射される遠赤外線や、トルマリン微粒子から放射される遠赤外線が、アルミニウム薄層により反射され、ゲルマニウム微粒子により均一に分散され、健康パッド当接部の身体へ効率よく均一に照射されるので、これら遠赤外線の「身体を暖める温熱効果」が良好に奏される。
【００２２】
なお、トルマリン粉末：１５％、ゲルマニウム粉末：８５％という「混合の割合（重量％）」は、発明者らが実際に試して見て最も快適感を感じた割合である。
【発明を実施するための最良の形態】
【００２３】
図１は、この発明の健康パッドの１例を示す平面図であり、身体に当接させる側を示している。健康パッド１００は「人体の背中側腰部」に当接させるように構成したものであり、背中側腰部への当接に適した形状および寸法として、図の如く矩形状の平面形状をなし、長さ：略２００ｍｍ、幅：略１５０ｍｍ、厚さ：略５ミリである。  
図２は、図１のII−II断面を示す図である。
【００２４】
健康パッド１００は５層構造で、外側シート１８、無孔性シート１６、繊維質層１４、粉状混合物１２の層および内側シート１０とを、図の如く重ねた構造となっている。身体に当接する側の内側シート１０は、この実施の形態において、ゴアテックスをベースシートとし、その内側に「ホットメルトを塗布された極く薄い不織布」を重ねて一体化してなり「無孔性」である。
【００２５】
内側シート１０とともに粉状混合物１２の層を挟持する繊維質層１４は「細かい繊維を層状に構成したもの」であるが、この例では、極く細かい繊維を梳いて得られた厚さ：０.１ｍｍ程度で目の細かい２枚の丈夫な和紙状の紙質シートの間に「綿状の繊維材料」をクッション材として挟持した３層構造である。
【００２６】
これら内側シート１０と繊維質層１４との間に層状に挟持される粉状混合物１２は、２５００メッシュのトルマリン微粒子の粉末：１５％、３７００メッシュのゲルマニウム微粒子の粉末：８５％を均一に混合分散した粉状体であり、１ｃｍ２あたり０.４ｇ〜０.５ｇほどが充填され、層の厚さは１ｍｍ程度である。
【００２７】
ゲルマニウム微粒子の粉末とトルマリン微粒子の粉末とは、これらを水中に分散して数十時間攪拌した後、各微粒子を自然状態で沈殿させ、さらに水抜き乾燥させて全体が均一に混合分散した状態を実現し、この混合分散状態の粉末を上記の如く層状に保持させた。
【００２８】
無孔性シート１６は、厚さ：０．０５ｍｍ程度の極薄いプラスチックフィルムの片面に、アルミニウムの薄層（厚さ：数μｍ程度）にコーティングしたものであり無孔性で「柔軟なフィルム状」である。外側シート１８は「通常の布材」をシートとし、内側面に「ホットメルトを塗布した不織布」がホットメルトにより接着一体化されたものである。
【００２９】
内側シート１０、粉状混合物１２の層、繊維質層１４、無孔性シート１６、外側シート１８の外周部は目の詰んだ布製のマチ２０により縫い合わされ（破線は縫い目を示す）、このようにして内側シート１０と外側シート１８の間は閉ざされる。また、内側シート１０と無孔性シート１６とは共に無孔性であるので「内部に挟持された粉状混合物」が外部へ洩れ出ることがない。
【００３０】
内側シート１０と繊維質層１４とは型押しにより、図１に示す如く、図の上下方向に３つの部分１０１、１０２、１０３に分けられ、図２に示すように、粉状混合物１２は、実質的に各部分１０１、１０２、１０３において、内側シート１０と繊維質層１４との間に挟まれて層状に保持される。
【００３１】
この実施の形態においては、内側シートの一部をなす不織布に塗布されたホットメルトが未だ冷却していない状態においてその表面に粉状混合物１２が供給され、これにより粉末混合物の一部は、ホットメルト層の表面に接着された状態となり、内側シート１０の内側面は付着した粉状混合物により「ざらついた構造」となる。ホットメルトはまた、不織布をベースシートであるゴアテックスに接着させる。
【００３２】
また繊維質層１４の「粉状混合物１２の層に接する側の面」をなす和紙状の紙質シートの表面も「紙独特の微小な凹凸構造」を有しているため、粉状混合物１２は内側シート１０と繊維質層１４との間で滑りを生ずることがなく、内部で流動しないので、流動による「粉状混合物の寄り」を生じることがなく、粉状混合物の層１６は内側シート１０と繊維質層１４との間に安定的に保持される。
【００３３】
図１、図２に示した健康パッド１００は、人体に直接もしくは衣服を介して当接させるパッドであって、当接に適した寸法および形状を有し、全体として人体にフィットする柔軟性があり、人体の側は無孔性の内側シート１０、反対側は外側シート１８とされ、外側シート１８に接して、アルミニウム薄層をコーティングした無孔性シート１６が設けられ、内側シート１０と無孔性シート１６との間に、細かい繊維を層状に構成した繊維質層１４が１層以上介在され、無孔性シート１６よりも内側シート１０の側に、２５００メッシュのトルマリン微粒子の粉末：１５％と、３７００メッシュのゲルマニウム微粒子の粉末：８５％を均一に混合分散させた混合粉状物１２が層状に保持され、内側シート１０と外側シート１８の周縁部を閉じることにより内部を閉ざしたものである（請求項１）。
【００３４】
また、内側シート１０が、「内側面にホットメルトを塗布した不織布」をベースシートの内側に一体化させてなり、繊維質層１４が１層で、混合粉状物１２が、内側シート１０と繊維質層１４との間に層状に保持されている（請求項２）。
【００３５】
図１、図２に示した健康パッド１００は、上記の如く「人体の背中側腰部に当接させるように構成したもの」であるが、この発明の健康パッドは、これに限らず、種々の形態、例えば、手の甲に当接させる形態や、脚の膝や踝近傍に当接させる形態、さらには足の裏に当接させる形態等として実施できることは言うまでもない。
【００３６】
図３に示す実施の形態の健康パッド２００は、この発明の健康パッドを「アイマスク」の形態として構成した例であり、符号２０１は伸縮性の「留め紐」を示す。構造的には、上記図１、図２の実施の形態と同様である。このようなアイマスク上の健康パッドを、アイマスクとして使用することにより、目の充血や目の疲労を有効に緩和できることが期待される。
【００３７】
図４には、図１、図２に示した実施の形態と同様の健康パッドの別の構成例を示す。  
図４において、符号１で示す内側シートは、内側面にホットメルトを塗布した極く薄い不織布をベースシート（ゴアテックス）の内側に一体化させてなる。また、２層の繊維質層２、４を有し、繊維質層２は、内側シート１のホットメルトにより内側シートに接着一体化されている。
【００３８】
これら２層の繊維質層２、４は「径：０.３μｍの極細紙繊維を密に用いた紙シート」であり、粉状混合物３は２層の紙シート２、４の間に層状に保持される（請求項３）。符号５は「厚さ：０．０５ｍｍ程度の極薄いプラスチックフィルムの片面に、アルミニウムの薄層（厚さ：数μｍ程度）をコーティングした無孔性シート」であり、「無孔性で柔軟なフィルム状」である。符号６、７は外側シートを構成するものであり、内側面にホットメルトを塗布した極く薄い不織布６をベースシート７の内側に一体化させてなる。ベースシートは通常の布材である。
【００３９】
繊維質層である紙シート２、４は、その構成繊維が０.３μｍ径と極めて細く、このような繊維を密に用いているので、表面は「極く細い繊維の錯綜した状態」で、微細な凹凸構造を呈し、凹凸構造の表面積も大きい。このため、粉状混合物１２を構成するトルマリンやゲルマニウムの微粒子が、上記微細な凹凸構造の凹部等に安定に保持され、紙シート２、４に対して滑りにくく、また粉状混合物の構成粒子は極めて微粒であるので、流動性が低く、従って流動による「粉状混合物の寄り」を生じることがない。
【００４０】
図５は、健康パッドを、図３に示したアイマスクとして構成する場合の好適な構成の１例を示す。内側シートは、内側面にホットメルトを塗布した極く薄い不織布１にベースシート８を重ね合わせてなり、ベースシート８は「ウレタン樹脂の層に布材を重ねたもの」である。ベースシート８の外側の部分（ウレタン樹脂の層に重ねられた布材）は「装着者の顔に直接接触する」部分であることに鑑みこの例において「柔らかいタオル地」とした（請求項４）。
【００４１】
２層の繊維質層２、４は、図４に示された繊維質層と同様「径：０.３μｍの極細紙繊維を密に用いた紙シート」であり、粉状混合物３は２層の紙シート２、４の間に層状に保持される。無孔性シート５は、図４に示されたものと同様のものである。符号６、７は外側シートを構成し、内側面にホットメルトを塗布した不織布６をベースシート７の内側に接着一体化させてなる。ベースシート７は通常の布材であるが、商品としては表側になるので、このベースシートを例えば「豹川模様や虎皮模様等の柄物」としてもよい。
【図面の簡単な説明】
【００４２】
【図１】健康パッドの実施の１形態を示す平面図である。
【図２】図１のＩＩ−ＩＩ断面図である。
【図３】この発明の健康パッドをアイマスクの形態として構成した例を示す平面図である。
【図４】この発明の健康パッドの好適な構造例の１例を示す。
【図５】この発明の健康パッドの好適な構造例の別例を示す。
【符号の説明】
【００４３】
１０      内外側シート
１２      粉状混合物
１４      繊維質層
１６      無孔性シート
１８      外側シート
１００    健康パッド
【図１】
2005160780.tif 000003
【図２】
2005160780.tif 000004
【図３】
2005160780.tif 000005
【図４】
2005160780.tif 000006
【図５】
2005160780.tif 000007